(57)【要約】【課題】初期より給湯機の設定温度と同程度の温度の湯を給湯用水洗から得ることを目的とする。【解決手段】給湯用の加熱装置３と、温水暖房用の加熱装置２と、給湯の温度設定を行うリモートコントロール装置１３とを備えた給湯暖房機１と、温水暖房用の循環水により間接的に加熱される即湯タンク６と、前記即湯タンク６内の湯水の温度を検知する温度検出器８と、前記即湯タンク６内の温度が前記給湯用リモートコントロール装置１３の設定温度となるよう前記温水暖房用の循環水を変化させる制御部１４とを備え、前記即湯タンク６内の湯温を給湯設定温度と同程度に保つことにより、初期より給湯設定温度と同程度の温度の湯を給湯用水洗から得ることができる。【選択図】図１
2006057973.tif 000002
【特許請求の範囲】
【請求項１】
給湯用の加熱装置と、温水暖房用の加熱装置と、給湯の温度設定を行うリモートコントロール装置とを備えた給湯暖房機と、前記給湯暖房機より出湯される湯水を送る給湯配管の下流に設けられ、温水暖房用の循環水により間接的に加熱される即湯タンクと、前記即湯タンク内の湯水の温度を検知する温度検出器と、前記温度検出器の信号により前記即湯タンク内の温度が前記給湯用リモートコントロール装置の設定温度となるよう前記温水暖房用の循環水の循環量あるいは温度を変化させる制御部を有する即時給湯装置。
【請求項２】
給湯の温度設定を行うリモートコントロール装置に、即湯タンクへの温水暖房用の循環水の供給を行うか、停止するかを選択できるスイッチを設けた請求項１記載の即時給湯装置。
【請求項３】
給湯用の加熱装置と、温水暖房用の加熱装置と、給湯の温度設定を行うリモートコントロール装置とを備えた給湯暖房機と、前記給湯暖房機より出湯される湯水を送る給湯配管の下流に設けられ、温水暖房用の循環水により間接的に加熱される即湯タンクと、前記温水暖房用の循環水の循環量あるいは温度を変化させる制御部とを備え、前記制御部またはリモートコントロール装置にタイマー設定スイッチを設け、前記即湯タンクへの温水暖房用の循環水の供給をタイマーに設定された時間に自動的に開始および停止するようにした即時給湯装置。
【請求項４】
給湯用の加熱装置と、温水暖房用の加熱装置とを備えた給湯暖房機と、前記給湯暖房機より出湯される湯水を送る給湯配管の下流に設けられ、温水暖房用の循環水により間接的に加熱される即湯タンクと、前記温水暖房用の循環水の循環量あるいは温度を変化させる制御部とを備え、前記制御部にて給湯が使用される時間帯を学習し、給湯が使用される時間帯にのみ前記即湯タンクへの温水暖房用の循環水の供給を自動的に行い、給湯が使用されない時間帯には前記即湯タンクへの温水暖房用の循環水の供給を自動的に停止するようにした即時給湯装置。
【請求項５】
制御部、または給湯の温度設定を行うリモートコントロール装置に即湯タンクへ温水暖房用の循環水の供給を行っている間は、ランプの点灯、または画面表示などの表示を行うようにした請求項１〜４のいずれか１項記載の即時給湯システム。
【発明の詳細な説明】
【技術分野】
【０００１】
本発明は、給湯配管に接続された水栓等より出湯される湯の温度が、配管の放熱等で低下した場合でも、温水暖房用の温水を循環させ間接的に加熱を行い、素早く適温の湯が得られるようにした即時給湯装置に関するものである。
【背景技術】
【０００２】
従来、この種の即時給湯装置は即湯タンクに取り付けた温度検出器の信号に応じて、接続される暖房加熱装置を制御し、即湯タンク内の温度を調節するような制御部を有している（例えば、特許文献１参照）。
【０００３】
図３は、特許文献１に記載された従来の即時給湯装置を示すものである。図３に示すように、暖房加熱装置２と給湯加熱装置３を備えた給湯暖房機１と、給湯配管５と、熱交換部７と温度検出器８を備えた即湯タンク６と、循環温水往き配管９と、循環温水戻り配管１０と、流量調整弁部１１と、制御部（即湯リモコン）１２から構成されている。
【特許文献１】特開２００４−０５３０７８号公報
【発明の開示】
【発明が解決しようとする課題】
【０００４】
最近の給湯温度が設定できるリモートコントロール装置を備えた給湯機では３２℃から６０℃程度の範囲で給湯温度が設定できる。しかしながら、前記従来の構成では、給湯の設定温度とは独立して即湯タンク内の湯温を制御する構成であるため、給湯の設定温度によっては初期に水洗から出てくる湯温が熱すぎる、または、ぬるすぎるという現象が起こるという課題を有していた。
【０００５】
また、一日のうちの給湯の使用時間は１〜２時間程度であるが、前記従来の構成では、使用者がこまめにオン、オフをしなければ常時即湯タンクへの温水供給が行われてしまい、無駄にエネルギーを消費してしまうという課題を有していた。
【０００６】
本発明は、前記従来の課題を解決するもので、給湯用水洗からでてくる湯温が初期より給湯機で設定されている温度と同程度となるようにするとともに、即湯タンクへの温水の供給を自動的にオン、オフし省エネルギー化を図るようにした即時給湯装置を提供することを目的とする。
【課題を解決するための手段】
【０００７】
前記従来の課題を解決するために、本発明の即時給湯装置は、給湯の温度設定を行うリモートコントロール装置を備えた給湯暖房機と、前記給湯暖房機より出湯される湯水を送る給湯配管の下流に設けられ、温水暖房用の循環水により間接的に加熱される即湯タンクと、前記即湯タンク内の湯水の温度を検知する温度検出器と、前記温度検出器の信号により前記即湯タンク内の温度が前記給湯用リモートコントロール装置の設定温度となるよう前記温水暖房用の循環水の循環量あるいは温度を制御するようにしたものである。
【０００８】
これによって、即湯タンク内の温水温度は給湯機の設定温度と等しくなるため、給湯用水洗からでてくる湯温が初期より給湯機で設定されている温度と同程度となる。
【０００９】
また、本発明の即時給湯システムは、制御部またはリモートコントロール装置にタイマー設定スイッチを設け、即湯タンクへの温水暖房用の循環水の供給をタイマーに設定された時間に自動的に開始および停止するようにしたものである。
【００１０】
さらに、本発明の即時給湯システムは、制御部にて給湯が使用される時間帯を学習し、給湯が使用される時間帯にのみ即湯タンクへの温水暖房用の循環水の供給を自動的に行い、給湯が使用されない時間帯には前記即湯タンクへの温水暖房用の循環水の供給を自動的に停止するようにしたものである。
【００１１】
これによって、給湯を使用する時間帯にのみ自動的に即湯タンクへの温水供給が行われるため、使用者がこまめにオン、オフ操作を行わなくても省エネルギー化を図ることができる。
【発明の効果】
【００１２】
本発明の即時給湯システムは、無駄なエネルギーを使用することなく、初期より給湯機で設定されている温度と同程度の温度の湯を給湯用水洗から得ることができる。
【発明を実施するための最良の形態】
【００１３】
第１の発明は、給湯用の加熱装置と、温水暖房用の加熱装置と、給湯の温度設定を行うリモートコントロール装置とを備えた給湯暖房機と、前記給湯暖房機より出湯される湯水を送る給湯配管の下流に設けられ、温水暖房用の循環水により間接的に加熱される即湯タンクと、前記即湯タンク内の湯水の温度を検知する温度検出器と、前記温度検出器の信号により前記即湯タンク内の温度が前記給湯用リモートコントロール装置の設定温度となるよう前記温水暖房用の循環水の循環量あるいは温度を変化させる制御部を有することにより、即湯タンク内の湯温と給湯機から供給される湯温が同程度となり、初期より給湯機で設定されている温度と同程度の温度の湯を給湯用水洗から得ることができる。
【００１４】
第２の発明は、特に、第１の発明の給湯の温度設定を行うリモートコントロール装置に、即湯タンクへの温水暖房用の循環水の供給を行うか、停止するかを選択できるスイッチを設けることにより、即時給湯システムをオン、オフするためのリモコンを別に設ける必要がなくなる。
【００１５】
第３の発明は、給湯用の加熱装置と、温水暖房用の加熱装置と、給湯の温度設定を行うリモートコントロール装置とを備えた給湯暖房機と、前記給湯暖房機より出湯される湯水を送る給湯配管の下流に設けられ、温水暖房用の循環水により間接的に加熱される即湯タンクと、前記温水暖房用の循環水の循環量あるいは温度を変化させる制御部とを備え、前記制御部またはリモートコントロール装置にタイマー設定スイッチを設け、前記即湯タンクへの温水暖房用の循環水の供給をタイマーに設定された時間に自動的に開始および停止することにより、使用者が給湯使用前後に毎回オン、オフをしなくても使用者の給湯使用時間にあわせ自動的にオン、オフができ、無駄なエネルギーを節約することができる。
【００１６】
第４の発明は、給湯用の加熱装置と、温水暖房用の加熱装置とを備えた給湯暖房機と、前記給湯暖房機より出湯される湯水を送る給湯配管の下流に設けられ、温水暖房用の循環水により間接的に加熱される即湯タンクと、前記温水暖房用の循環水の循環量あるいは温度を変化させる制御部とを備え、前記制御部にて給湯が使用される時間帯を学習し、給湯が使用される時間帯にのみ前記即湯タンクへの温水暖房用の循環水の供給を自動的に行い、給湯が使用されない時間帯には前記即湯タンクへの温水暖房用の循環水の供給を自動的に停止することにより、使用者がオン、オフやタイマー設定など一切の操作をしなくても使用者の給湯使用時間にあわせ自動的にオン、オフができ、無駄なエネルギーを節約することができる。
【００１７】
第５の発明は、特に、第１〜４のいずれか１つの発明において、制御部、または給湯の温度設定を行うリモートコントロール装置に即湯タンクへ温水暖房用の循環水の供給を行っている間は、ランプの点灯、または画面表示などの表示を行うようにすることにより、即時給湯システムのオン、オフ状態を使用者が容易に識別することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における即時給湯装置の全体構成図である。
【００２０】
図１において、給湯暖房機１は温水暖房用の加熱装置２と給湯用の加熱装置３を備えおり、給湯用加熱装置３の入り口には給水配管４、出口には給湯配管５が接続され、温水暖房用の加熱装置２の入り口には循環温水戻り配管１０、出口には循環温水往き配管９が接続される。循環温水往き配管９の接続部には温水暖房用の循環水の流量を調整する流量調整弁１１が設けられており、給湯暖房機１の制御部１４により制御される。給湯配管５の下流には即湯タンク６が接続される。即湯タンク６は内部に熱交換部７を有し、循環温水往き配管９と循環温水戻り配管１０が接続される。また、即湯タンク６内の湯温が検出できるよう温度検出器８が取り付けられており、給湯暖房機１の制御部１４に温度データを送信する。１３は給湯温度設定と即湯システムの制御を行うリモートコントロール装置で給湯暖房機１の制御部１４に接続される。
【００２１】
以上のように構成された即時給湯システムについて、以下その動作、作用を説明する。
【００２２】
給湯暖房機１の給湯用の加熱装置３によって加熱され、給湯配管５を通って即湯タンク６に入った湯水は即湯タンク６の下部の給湯ヘッダーで分配され各給湯栓に送られる。このとき、湯水が連続して使用されている場合は問題ないが、断続的に使用されると停止中に配管部からの放熱により湯温は低下していく。即湯タンク６内の湯温は温度検出器８により検出され給湯暖房機１の制御部１４に送られており、この温度がリモートコントロール装置１３に設定されている給湯温度より低くなった場合には、流量調整弁１１を開弁し、温水暖房用の加熱装置２で加熱された温水を即湯タンク６の熱交換部７に循環させ即湯タンク６内の湯水を加熱する。この際、即湯タンク６内の湯温が給湯の設定温度より高くなりすぎると、次回給湯使用時の初期に熱すぎる温度の湯が給湯栓から出てしまうため、温度検出器８が給湯の設定温度＋３℃程度を検出した時点で、流量調整弁１１を閉じ加熱を中止する。以降、温度検出器８の検出温度に従い加熱と停止が繰り返され、即湯タンク６内の湯温は給湯設定温度から＋３℃程度の範囲に保たれる。この結果、給湯栓からは常に給湯設定温度程度の湯が出ることとなり、快適に湯を使用することができる。
【００２３】
図２は給湯温度設定と即湯システムの制御を行うリモートコントロール装置１３の詳細図である。
【００２４】
図２において、１５は給湯温度設定スイッチ、１６は即湯運転スイッチ、１７は即湯タイマーオン／オフスイッチ、１８はタイマー時間設定スイッチである。１９は表示部で給湯の設定温度や即湯運転のオン／オフ状態、タイマー設定時の時間表示等を行う。
【００２５】
以下その動作、作用を説明する。
【００２６】
給湯の使用時間は通常１日１〜２時間程度であり、使用する時間帯も朝食前後と夕食前後、および入浴時に集中している。このため、即湯タンク６の加熱を常時行なっていたのでは無駄にエネルギーを使用していることになってしまう。よって、即湯タンク６の加熱をオン、オフするスイッチが必要であるため、給湯暖房機１のリモートコントロール装置１３に即湯運転スイッチ１６を取り付けている。これにより、即湯用のリモートコントロール装置を別途設けなくとも使用者が任意に即湯タンク６の加熱をオン、オフすることができる。
【００２７】
しかしながら、使用者が任意に即湯タンク６の加熱をオン、オフするだけでは、朝一番に湯が使いたい場合などには即湯タンク６の加熱が十分にできない。また、使用者がスイッチを切り忘れた場合には無駄にエネルギーを消費してしまう。そのため、給湯暖房機１のリモートコントロール装置１３に即湯タンク６の加熱をタイマーでオン、オフできるよう即湯タイマーオン／オフスイッチ１７とタイマー時間設定スイッチ１８を設けてある。これにより、使用者は１日のうちで即湯タンク６を加熱したい時間をタイマー設定しておくことができ、毎回オン、オフスイッチを操作することなく必要な時間だけ即湯タンク６を加熱することができる。
【００２８】
また、リモートコントロール装置１３と制御部１４を用い、タイマー運転をさらに進めた学習運転も行うことができる。制御部は給湯運転が行なわれた時間を常に監視し、給湯運転が高い頻度で行なわれる時間を学習していく。そして、使用者がリモートコントロール装置１３の即湯運転スイッチ１６を長押しして学習運転モードを選択すると、制御部１４は給湯の使用頻度が高い時間帯に自動的に即湯タンク６の加熱を行ない、使用頻度の低い時間帯には自動的に即湯タンク６の加熱を停止する。これにより、１日の生活パターンが安定している家庭の場合には、使用者が何の操作もすることなく、快適に湯を使用できるとともに、無駄なエネルギーの使用もなくすことができる。
【００２９】
予約運転や学習運転では使用者は即湯タンク６が加熱状態かそうでないかの識別が困難なため、即湯タンク６が加熱状態の場合にはリモートコントロール装置１３の表示部１９に即湯の表示を行なう。これにより使用者は一目で即湯タンク６の加熱状態を識別することができる。
【産業上の利用可能性】
【００３０】
以上のように、本発明にかかる即時給湯装置は、初期より給湯機で設定されている温度と同程度の温度の湯を給湯用水洗から得ることが可能となるので、住居や宿泊施設等の給湯設備の用途に適用できる。
【図面の簡単な説明】
【００３１】
【図１】本発明の実施の形態１における即時給湯装置の全体構成図
【図２】同即時給湯システムのリモートコントロール装置の詳細図
【図３】従来の即時給湯装置の全体構成図
【符号の説明】
【００３２】
１  給湯暖房機
２  温水暖房用の加熱装置
３  給湯用の加熱装置
５  給湯配管
６  即湯タンク
８  温度検出器
１３  リモートコントロール装置  
１４  制御部
１６  即湯運転スイッチ
１７  即湯タイマーオン／オフスイッチ
１８  タイマー時間設定スイッチ
１９  表示部
【図１】
2006057973.tif 000003
【図２】
2006057973.tif 000004
【図３】
2006057973.tif 000005